(57)【要約】  本発明はスライディング窓戸システムの移動窓設置構造に関し、より詳しくは、アルミサッシ構造のスライディング窓戸を構成する移動窓の荷重を支持するローラーとレールとの間に垂直反力が届かないようにして移動窓をレールの長手方向と垂直な方向に円滑に移動させることができるようにしながら大きい荷重を有する大型窓の摺動性を向上させ、かつスライディング窓戸が設置される窓設置フレームのプロファイル端面構造を改善して断熱機能を大幅に向上させることができるだけでなく、風圧に耐える耐風圧性を向上させることができるスライディング窓戸システムの移動窓設置構造に関する。
2015517040.tif 000002
【特許請求の範囲】
【請求項１】
アルミサッシ構造のスライディング窓戸システムの移動窓設置構造は、
アルミニウム素材の内部フレーム１００ａと外部フレーム１００ｂ、及びこれを相互連結する合成樹脂素材の熱橋遮断材１００ｃ１を含んでなり、建物壁体に環状に設置され、底面の上部に横方向にレールガイドが設置される窓枠１００と、
前記窓枠１００の内部に設置される窓部材として、ガラス窓のような窓パネル２００ｇ、３００ｇを支持するアルミニウム素材の内部フレーム２００ａ、３００ａと外部フレーム２００ｂ、３００ｂ、及びこれを相互連結する合成樹脂素材の熱橋遮断材２００ｃ、３００ｃを含んでなる固定窓２００及び移動窓３００を備えるスライディング窓戸システムであって、
前面に第１熱橋遮断封止部材１００ｓを備えたアルミニウム素材で作られて、前記窓枠１００の外部フレーム１００ｂの内部に移動窓閉鎖領域に環状に提供され、前記内部フレーム１００ａと前記外部フレーム１００ｂとの間を連結するように提供される移動窓封止フレーム１００ｄと、
前記移動窓封止フレーム１００ｄに対する封止のために前記移動窓３００の前記窓枠１００のレールガイド１００ｒの長さに従う縦方向の摺動を提供するように前記移動窓３００の下部に前記移動窓３００から分離されて設置されるローラー装置４００と、
前記ローラー装置４００から前記移動窓３００を分離させて前記移動窓３００の背面に提供される第２熱橋遮断封止部材３１０ｓが前記移動窓封止フレーム１００ｄの前記第１熱橋遮断封止部材１００ｓと接するようにレールガイド１００ｒを横切る横方向のシーリング摺動を遂行するように前記移動窓３００の下部フレーム３００ｄの内部ポケット３００ｄ１に設置される移動窓横方向移動装置５００と、
前記移動窓横方向移動装置５００の作動により前記移動窓３００がレールガイド１００ｒを横切る横方向のシーリング摺動を遂行する間に、前記ローラー装置４００に垂直分力が届かないようにし、また前記移動窓３００がレールガイド１００ｒの長手方向に沿って移動される間には前記移動窓３００と前記ローラー装置４００とが一体に進行できるように、前記ローラー装置４００の上部面に対する前記移動窓３００の下部フレーム３００ｄのレールガイド１００ｒの進行方向に垂直になる移動変位のみを許容し、転がり移動ガイドするように前記ローラー装置４００の上部面と前記移動窓３００の下部フレーム３００ｄの下部面との間に提供される垂直方向スライディングユニット６００とを含んでなり、そして、
前記窓枠１００を構成する前記内部フレーム１００ａと前記外部フレーム１００ｂとを熱伝逹遮断方式により相互連結するように設置される合成樹脂素材の熱橋遮断材１００ｃ１と、前記外部フレーム１００ｂに連結された前記移動窓封止フレーム１００ｄと前記内部フレーム１００ａとを熱伝逹遮断方式により相互連結するように設置される合成樹脂素材の熱橋遮断材１００ｃ２の設置方向が相互直交するように配置して、前記内部フレーム１００ａ、前記外部フレーム１００ｂ、前記移動窓封止フレーム１００ｄ、及び前記内部フレーム１００ａが熱橋遮断材１００ｃ１、１００ｃ２、１００ｃを通じて環状に連結されて、その内部に熱遮断空気層３００ｉが形成されるようにしたことを特徴とする、アルミサッシ構造のスライディング窓戸システムの移動窓設置構造。
【請求項２】
前記移動窓３００の下部フレーム３００ｄの内部ポケット３００ｄ１に設置される前記移動窓横方向移動装置５００は、
前記移動窓３００に平面的なフレーム形状に固定設置され、フレームの表面からガイド突起が突出形成されるか、または前記レールガイド１００ｒの長手方向に対して設定角度に傾斜するように形成される傾斜ガイド溝５１１が形成される固定フレーム５１０と、
前記固定フレーム５１０に平面的に隣接して摺動可能に備えられ、前記ガイド突起が嵌められてスライディングガイドできるように前記レールガイド１００ｒの長手方向に対して設定角度に傾斜するように形成される傾斜ガイド溝が形成されるか、またはフレームの表面からガイド突起５２１が突出形成され、前記移動窓３００の下部フレーム３００ｄの内部ポケット３００ｄ１でレール進行方向に平行な方向に摺動可能に提供される移動フレーム５２０と、
前記移動窓３００の側面に固定設置され、前記移動フレーム５２０に連結されてレール進行方向に平行な方向の移動力を加える開閉作動駆動部５３０と、
前記窓枠１００に備えられ、前記レールガイド１００ｒの前面及び背面に各々設定間隔離隔して備えられる前面支持レール５４０及び背面支持レール５５０と、
前記移動フレーム５１０に備えられ、前記開閉作動駆動部５３０により前記移動フレーム５２０が移動される場合、前記ガイド突起５２１と前記傾斜ガイド溝５１１の傾斜方向の移動力に対して、前記移動窓３００と前記前面支持レール５４０または前記背面支持レール５５０との間でレール進行方向に対して垂直方向に前記移動窓３００を押しながら前記レール進行方向に対して垂直方向である横方向に移動させる反力を提供する押圧部５６０と、
を含んでなることを特徴とする、請求項１に記載のアルミサッシ構造のスライディング窓戸システムの移動窓設置構造。
【請求項３】
前記移動窓横方向移動装置５００を構成する前記移動フレーム５２０が前記移動窓３００の下部フレーム３００ｄの内部ポケット３００ｄ１から移動窓の側面の前記開閉作動駆動部５３０に延びるように提供される側面ポケット３００ｄ２に隣接して追加的に形成される補強材ポケット３００ｄ３に、前記移動窓３００の上下長手方向の曲げ剛性を補強するように側面曲げ剛性補強材３２０が挿入設置されることを特徴とする、請求項２に記載のアルミサッシ構造のスライディング窓戸システムの移動窓設置構造。
【請求項４】
前記垂直方向スライディングユニット６００は、移動窓横方向移動装置５００により移動窓３００が垂直方向にスライディングシーリング移動する間に前記ローラー装置４００に垂直分力が届かないように前記ローラー装置４００と前記移動窓横方向移動装置５００との間に提供されるものであって、
前記移動窓横方向移動装置５００を構成する前記固定フレーム５１０の底面に備えられる平らな板部材６１０と、
前記板部材６１０に接するようにローラー装置４００の平面に備えられ、かつレールガイド１００ｒの長手方向に対して垂直な方向のみに滑る構造を有するベアリング部６２０と、
を含んでなることを特徴とする、請求項３に記載のアルミサッシ構造のスライディング窓戸システムの移動窓設置構造。
【請求項５】
前記ベアリング部６２０は、
前記戸車部の平面に備えられるベアリング取付部と、
前記ベアリング取付部に配列され、かつ前記レールガイドの長手方向と同一な長手方向を有するように配列されるフィンタイプローラーベアリングと、
を含んでなることを特徴とする、請求項４に記載のアルミサッシ構造のスライディング窓戸システムの移動窓設置構造。
【請求項６】
前記レールガイド１００ｒの長手方向に対して垂直な方向のみに滑る構造を提供するために、前記垂直方向スライディングユニット６００は、
前記固定フレームの底面に備えられる係止段と、そして、前記係止段にかかるように前記ローラー装置の平面に形成される係止段を含んでなることを特徴とする、請求項５に記載のアルミサッシ構造のスライディング窓戸システムの移動窓設置構造。
【請求項７】
前記押圧部は、
前記移動フレームの前記ガイド突起の端部に固定され、前記固定フレームの底面にスライディング可能に備えられる支持部材と、
前記前面支持レールまたは前記背面支持レールを直接押しながら前記移動窓を移動させるだけでなく、前記移動フレーム及び前記支持部材が設定距離移動する間、前記前面支持レールまたは前記背面支持レールとの接触摩擦を最小化させるために、前記支持部材に回転可能に備えられる押圧用円形ローラーと、
を含んでなることを特徴とする、請求項４に記載のアルミサッシ構造のスライディング窓戸システムの移動窓設置構造。
【請求項８】
前記押圧用円形ローラーは前記支持部材の底面中心に回転可能に備えられ、
前記押圧用円形ローラーの直径は前記左側レール及び前記右側レールの間の間隔より小さく、前記運動方向転換ユニットにより前記移動窓が垂直方向に移動できる程度に設定されることを特徴とする、請求項５に記載のアルミサッシ構造のスライディング窓戸システムの移動窓設置構造。
【請求項９】
前記移動窓横方向移動装置５００は、
前記移動フレーム及び前記支持部材が前記固定フレームで円滑に移動されるように前記支持部材と前記固定フレームとの間に備えられる潤滑シートをさらに含むことを特徴とする、請求項４に記載のアルミサッシ構造のスライディング窓戸システムの移動窓設置構造。
【請求項１０】
前記ローラー装置４００は、
下部が開放されたハウジングと、
前記ハウジングの内部に取り付けられ、前記移動窓の荷重を支持する平板形状の荷重支持板と、
前記移動窓が前記窓枠の前記レールガイドに沿って移動される場合、前記荷重支持板を軸にして回転されるように前記荷重支持板に巻かれる輪型ローリングユニットと、を含み、
前記輪型ローリングユニットは、
複数個のローリング部材と、
前記複数個のローリング部材が互いに設定間隔を置いて前記荷重支持板の表面に均等に配置されるように前記複数個のローリング部材を互いに連結させるリンクユニットと、を含んでなることを特徴とする、請求項４に記載のアルミサッシ構造のスライディング窓戸システムの移動窓設置構造。
【請求項１１】
前記ローラー装置４００は、前記輪型ローリングユニットを前記荷重支持板の左／右に滑り無しで案内する案内ユニットをさらに含み、
前記案内ユニットは、
前記荷重支持板に形成され、かつその周りに沿って形成される案内レールと、
前記案内レールに相応するように前記複数個のローリング部材の各々に形成される案内溝と、を含んでなることを特徴とする、請求項１０に記載のアルミサッシ構造のスライディング窓戸システムの移動窓設置構造。
【請求項１２】
前記レールガイドは、前記前面支持レールと前記背面支持レールとの間に備えられて、前記複数個のローリング部材を案内する中央レールと、
前記中央レールの長手方向と同一な長手方向を有し、前記中央レールの平面に突出形成される補助案内レールとをさらに含み、
前記戸車部の左／右揺れを防ぐために、前記補助案内レールは前記案内溝に挿入されることを特徴とする、請求項１１に記載のアルミサッシ構造のスライディング窓戸システムの移動窓設置構造。
【請求項１３】
前記ロール私装置は、
前記中央レール及び前記補助案内レール上にある異質物が前記ハウジングの内部に流入しないようにすると共に、異質物が前記ハウジング外部に掃かれるように前記ハウジングの移動方向を基準に前記ハウジングの前部及び後部に各々備えられる異質物カーテンをさらに含んでなることを特徴とする、請求項１２に記載のアルミサッシ構造のスライディング窓戸システムの移動窓設置構造。
【請求項１４】
前記垂直方向スライディングユニット６００は、前記ローラー装置４００の前記ハウジングと前記移動窓横方向移動装置５００の前記固定フレームとの間に備えられることを特徴とする、請求項１０に記載のアルミサッシ構造のスライディング窓戸システムの移動窓設置構造。
【請求項１５】
前記ローラー装置４００は、
前記ハウジングが前記前面支持レール及び前記背面支持レールに接触時、接触抵抗を減らすために、前記ハウジングの両側面に各々回転可能に備えられる側部ローラーをさらに含んでなることを特徴とする、請求項１０から１４のうちのいずれか一項に記載のアルミサッシ構造のスライディング窓戸システムの移動窓設置構造。
【発明の詳細な説明】
【技術分野】
【０００１】
本発明はスライディング窓戸システムの移動窓設置構造に関し、より詳しくは、アルミサッシ構造のスライディング窓戸を構成する移動窓の荷重を支持するローラーとレールとの間に垂直反力が届かないようにして移動窓をレールの長手方向と垂直な方向に円滑に移動させることができるようにしながら大きい荷重を有する大型窓のスライディング移動性を向上させ、かつスライディング窓戸が設置される窓設置フレームのプロファイル端面構造を改善して断熱機能を大幅に向上させることができるだけでなく、風圧に耐える耐風圧性を向上させることができるスライディング窓戸システムの移動窓設置構造に関する。
【背景技術】
【０００２】
引き戸窓や障子のようなスライディング窓戸システムを構成する窓扉（内部にガラス窓などのパネルが設置される）と窓枠（建物壁に環状に設置されて、その内部に窓扉が設置される）の最も一般的な構成を見ると、移動窓が摺動する時、ガイドの役割をするガイドレール（ガイドウェイ）を備えた窓枠が建物の壁体に環状に設置され、窓枠に設置されたガイドレールに沿って移動窓がスムースに移動できるようにローラーが窓枠外側に設置され、そしてガラスや板材などのパネルがフレームの内側に設置される端面構造を有する窓扉が窓枠の内部に設置される構造を有している。
【０００３】
しかしながら、このような一般的で、かつ単純な構造では、防音性、気密性（防風性）、水密性、断熱性、耐風圧性などに対する良質の性能を期待し難いことが通常的であるが、これを補完するために窓枠と窓扉との間に防風毛（毛ヘア）や防風ゴムガスケットの封止部材を付けて性能向上を図ることができるが、封止がなされる方式の限界によって防風毛または防風ゴムのような封止部材による封止効果が高くないし、また時間が経過するにつれて封止部材に変形が生じるか、または摩耗が進行されるにつれて持続的な性能維持が困難であるという短所がある。
【０００４】
一方、前述した一般的な構造のスライディング窓戸システムの短所を補完するために開発された従来技術の１つとして、‘リフトアンドスライディング方式’（‘Lift & Sliding方式’、簡単に‘ＬＳ方式’）の開閉構造を図１及び図２を通じて見ると、図１に図示されたように、移動窓を摺動させる場合には移動窓４の取っ手４ｈを回転させれば挺子の原理を用いた機構を用いて移動窓４の下部のローラー４ｒを窓扉の下部から下方に押し出す力が作用するようになれば、窓枠１の下部ガイドレール１ｂの上に安着しているローラー４ｒの反力により移動窓４の全体が下部ガイドレール１ｂから持ち上げられるようになり（図１の‘Ｄ’部分拡大図参照）、これによって窓枠１に接触して気密状態を維持していたゴムガスケットなどの下部封止部材３ｂが窓枠１から離隔しながら移動窓４の摺動が円滑になる構造を有し、そして図２に示すように、移動が完了した状態で移動窓４の取っ手４ｈを反対方向に回転させれば、ローラー４ｒが移動窓４の下部フレームの中に復帰しながら窓扉４の全体が降りるようになり（図２の‘Ｄ’部分拡大図参照）、これによって、ゴムガスケットなどの下部封止部材３ｂが押えられながら移動窓４の下部と窓枠１との間の下部隙間を封止する構造を有している。
【０００５】
この際、移動窓４の下部と窓枠１との間の上部隙間に対する封止は、図１及び図２の‘Ｕ’部分拡大図を各々比較する場合に把握されるように、移動窓４が持ち上げられて摺動する場合には移動窓４の上部フレームに設置された上部封止部材３ｕが窓枠１の上部に下方に設置された上部ガイドレール１ａに対して離隔し、そして移動窓４が降りる場合には上部封止部材３ｕが上部ガイドレール１ａと接触して封止をなすようになる。
【０００６】
一方、縦方向の窓枠と窓扉の縦方向フレームとの間の部分は図１及び図２の‘Ｌ’部分拡大図及び‘Ｒ’部分と拡大図を各々比較する場合に把握されるように、移動窓４の横方向スライディングが完了して窓戸が完全に閉じるようになる場合にゴムガスケットなどの側面封止部材４ｓが押えられながら密閉性を有するようになる。
【０００７】
しかしながら、このような‘リフトアンドスライディング方式’の開閉構造の場合には、移動窓を開閉しようとする場合、移動窓の下部に設置されたローラーと関連した部品が重い重量の窓扉を持ち上げて、降りなければならないので、ローラー部分に印加される集中荷重によって力学的に不利であるだけでなく、このように移動窓を随時持ち上げて降りる機能を遂行しなければならない装置部分の部品の場合には、相当な耐久性を有する高性能の部品が必要である短所があり、窓扉のサイズがある程度の範囲から外れて大きくなれば、サイズが大きくなった窓扉フレーム及びガラス窓の荷重負担を克服し難いので、適用可能な窓扉サイズに制限を有する問題点を有している。
【０００８】
だけでなく、図１及び図２を参照して前述したように、１つの窓扉で下部及び側面と上部で封止を達成する原理及び封止方向、即ち密閉方式が各々相異して一体性がないので、互いに異なる密閉方式が突き当たる窓扉と窓枠の隅部分では完壁な密閉性能を確保することが容易でなく、延いては、窓扉の上部での密閉は上部封止部材３ｕが上部ガイドレール１ａに弾性的に密着する弱い力だけで密閉性を確保しなければならないので、完全密閉を達成し難く、特に上部ガイドを通じての内・外部の熱伝逹を遮断し難いという問題点も有している。
【０００９】
また、このような‘ＬＳ方式’の開閉構造を備えたスライディング窓戸システムを構成するに当たって、窓枠と窓扉をアルミニウム素材で構成する例として、添付図面の図３から図５に示すように、熱伝導率の高いアルミニウム素材の内部フレーム１ａと外部フレーム１ｂ、及びこれを相互連結する合成樹脂素材の熱橋遮断材１ｃを含んでなり、建物壁体に環状(rectangular loop shape)に設置される窓枠１の内部に熱伝導率の高いアルミニウム素材の内部フレーム２ａ、４ａと外部フレーム２ｂ、４ｂ、及びこれを相互連結する合成樹脂素材の熱橋遮断材２ｃ、４ｃを含んでなる固定窓２と移動窓４が設置されるスライディング窓戸システムが開示されている。
【００１０】
図３には移動窓４がスライディング閉鎖及び開放された状態の横断面図が上下に図示されており、図４には図３の上段に図示されたように、移動窓４がスライディング閉鎖された状態でドアロッキング動作が遂行されて移動窓１が下部に移動しながら上部封止部材３ｕ及び下部封止部材３ｂが窓枠１の中間の熱橋遮断材１ｃと接触しながらシーリングされた状態が図３のＡ−Ａ’断面状態で図示されており、図５は図３の下段に図示されたように、移動窓４がスライディング開放された状態（ドアアンロッキング動作が遂行された状態）で移動窓１がローラー４ｒの上部に持ち上げられて移動しながら上部封止部材３ｕ及び下部封止部材３ｂが窓枠１の中間の熱橋遮断材１ｃと非接触するようになった状態が図３のＡ−Ａ’断面状態で図示されている。
【００１１】
ここで、図３及び図４を見ると、移動窓４の中心部に設置された熱橋遮断材４ｃと窓枠１の中心部に設置された熱橋遮断材１ｃとを連結する断熱線（“ＩＮＳ”）がほぼ直線方向に近く形成されて断熱線（“ＩＮＳ”）の長さ自体が短く形成され、さらに窓枠１の中心部に設置された熱橋遮断材１ｃは図４に示すように、外部空気（“ａｉｒ”）が直接接触する構造を有しているので、窓内外の間を断熱する効果が非常に制約的であり、併せて、ローラー４ｒが移動窓４の下部フレームの内部フレーム４ａの中に設置される状態を見ても断熱効果を維持するためには隣接して熱橋遮断材４ｃを配置せざるを得ない構造を有するが、これはローラー４ｒを支持するフレームの断絶によって支持剛性を提供することにはむしろ不利な構造となり、また図３のＫ−Ｋ’ラインに沿って図示されたように、移動窓４を構成する素材が外側から内部に向かってアルミニウム素材の外部フレーム４ｂ、中間の合成樹脂素材の熱橋遮断材４ｃ、そして、アルミニウム素材の内部フレーム４ａに連結形成されて移動窓４を構成するフレーム全体の縦方向剛性を向上させることができる別途の剛性フレームを設置できないので、窓を大型化する場合には風圧に対する耐久性を十分に提供する手段がないという問題点を有する。
【００１２】
今まで説明された‘ＬＳ方式’の開閉構造を備えたスライディング窓戸システムの短所を克服するために提案された従来の技術として、“スライディング窓戸システムの移動窓開閉装置”が２００７年６月１９日付で発行された韓国特許登録公報１０−０７２９２２２号に開示されている。以下、このような構成を有するスライディング窓戸システムの移動窓開閉装置を説明する。
【００１３】
以下、図６から図１３を参照して、従来のスライディング窓戸システムの移動窓開閉装置をより具体的に説明する。
【００１４】
図６から図８に示すように、スライディング窓戸システムの移動窓開閉装置は、窓枠１０に設置された上部レール１１ａ及び下部レール１１ｂに沿って移動窓４０を移動させる運動が可能であるようにすると共に、移動窓の上部フレーム４０ａの上のレールガイドアセンブリ４１ａ、４２ａのうち、レールガイド４１ａは上部レール１１ａに、そして移動窓の下部フレーム４０ｂの下のローラー部アセンブリ４１ｂ、４２ｂのうち、ローラー４１ｂは下部レール１１ｂに噛み合う構成を有する。これと共に、移動窓４０の上部フレーム４０ａは移動窓の上部フレーム４０ａの上のレールガイドアセンブリ４１ａ、４２ａに移動可能に取り付けられ、そして移動窓４０の下部フレーム４０ｂは移動窓の下部フレーム４０ｂの下のローラー部アセンブリ４１ｂ、４２ｂに移動可能に取り付けられる構成を有する。具体的に、移動窓４０の側面フレーム（図１０に図面符号‘４０ｓ’で図示されている）に設置される開閉作動手段（図１０に図面符号‘５０’で例示されている）の作動により、移動窓４０の上部フレーム４０ａ及び下部フレーム４０ｂは窓枠１０のレール１１ａ、１１ｂの進行方向に対して垂直になる変位成分を含んで前後方向（図６に図面符号“ＣＬ”及び“ＯＰ”）に移動する構成を有する。また、移動窓４０の移動により全体的に垂直になる方向に同一なサイズの圧力を受けながら封止されるように、弾性材料などで作られた封止部材３０が窓枠１０［または、固定窓（図７に図面符号‘２０’で図示されている）］と移動窓４０との間に介される構成を有する。
【００１５】
以下、図７から図９を参照して、移動窓４０がレール１１ａ、１１ｂの進行方向に対して垂直な方向に移動される細部的な構成及びその作動原理を説明する。
【００１６】
図７は移動窓がレール進行方向に対して垂直な方向に移動する前の状態を示す要部斜視図であり、図８は移動窓がレール進行方向に対して垂直な方向に移動されて封止部材を押圧した状態を示す要部斜視図であり、そして図９は移動窓がレール進行方向に対して垂直な垂直方向に移動される前の開いた（Open）状態（図９ａ）及び垂直方向に移動されて閉鎖された（Closed）状態（図９ｂ）を示す縦断面図である。
【００１７】
図７及び図８に示すように、ローラー部アセンブリ４１ｂ、４２ｂを下部レール１１ｂの進行方向に平行な方向成分を含んだ移動力（Ｆｐ）で押すと、ローラー部アセンブリ４１ｂ、４２ｂの上部板４２ｂに傾斜するように（平面視して下部レールの長手方向対して設定角度傾斜するように）形成された傾斜ガイド溝４３ｂと、そして移動窓４０の下部フレーム４０ｂの底面から下方に突出形成されたガイド突起４４ｂとの傾斜した連結構造により、上記移動力（Ｆｐ）は２つの分力である水平分力（Ｆｈ）と垂直分力（Ｆｖ）に分解される。この際、レール進行方向に垂直になる方向に作用する垂直分力（Ｆｖ）はローラー部アセンブリ４１ｂ、４２ｂの下部のローラー４１ｂが下部レール１１ｂでレール進行方向に対して垂直になる方向には抜け出せないように拘束されて、レール進行方向に対して垂直な方向の変位を有することができないので、その力の方向が反対に転換される。このように、垂直分力とその力の大きさは同一であるが、方向が反対の反力は、移動窓４０の下部フレーム４０ｂをレール進行方向に垂直になる前後方向に傾斜ガイド溝４３ｂの幅（Ｄ）だけ移動させる作用をするようになる。このような前後方向の移動作用を用いることが従来技術であるスライディング窓戸システムの移動窓開閉装置の主要原理となる。
【００１８】
一方、図１０はこのようなスライディング窓戸システムの移動窓開閉装置のうち、開閉作動手段の一実施形態を示す要部斜視図であり、図１１は図１０の主要構成及び作動状態を示す要部斜視図であり、そして図１２は図１０の開閉作動手段が適用されたスライディング窓戸システムの移動窓開閉装置において、移動窓がレールの長手方向に対して垂直な方向に移動される前及び移動された状態を示す図である。
【００１９】
特に、図１０から図１２は図６から図９に示す従来技術の作動原理を具体的に具現するための開閉作動手段の１つを例示している。延いては、このような開閉作動手段に対するより多様な適用例は本出願人により出願されて登録された従来の技術として前述した韓国特許登録公報１０−０７２９２２２号（ＰＣＴ公開公報ＷＯ２００７／０７５０７５号と対応）と、そして２００７年１月１９日付で発行された韓国特許登録公報１０−０６７１２５６号（ＰＣＴ公開公報ＷＯ２００７／１３９３５４号と対応）、及び２００７年６月１９日付で公告された韓国特許登録公報１０−０７２９２２３号（ＰＣＴ公開公報ＷＯ２００７／１３９３５５号と対応）に開示されているが、これら適用例のうち、１つの適用例が添付図面の図１３及び図１４に図示されたスライディング型開閉作動手段５０と同一であるが、これを具体的に説明すると、移動窓窓扉４０の側面フレームに上下に移動可能に縦方向に設置される側面スライディングバー５０ｓと、上記側面スライディングバー５０ｓを上下に移動させるための作動力を印加するために設置される回転取っ手５０ｈと、回転取っ手５０ｈの回転運動を側面スライディングバー５０ｓの上下往復動に変換させるために設置されるギア機構５０Ｌ、５０Ｐと、上記側面スライディングバー５０ｓの上端及び下端と連結されて移動窓窓扉４０の上部または下部に往復動を伝達するように隅に設置される弾性スライダ５１ｓと、上記弾性スライダ５１ｓと連動するように移動窓窓扉４０の上部及び下部に水平方向に設置される上部及び下部スライディングバー５１ａ、５１ｂと、そして上部及び下部スライディングバー５１ａ、５１ｂをレールガイドアセンブリの下部板４２ａ及び上記ローラー部アセンブリの上部板４２ｂに各々リンク連結させるコネクティングロッド部材５２ａ、５２ｂを含んでなる。このような図１３及び図１４に図示されている開閉作動手段の場合には、図１１に図示された実施形態とは異なり、回転取っ手５０ｈを作動させれば、移動窓窓扉のレールガイドアセンブリの下部板４２ａ及びローラー部アセンブリの上部板４２ｂで各々発生する水平方向の変位が互いに反対方向に作用するようになって上部と下部に形成される傾斜ガイド溝４３ａ１及び４３ａ２、４３ｂ１及び４３ｂ２の方向と、そして傾斜ガイド溝４３ａ１及び４３ａ２、４３ｂ１及び４３ｂ２の各々に嵌められるガイド突起４４ａ、４４ｂの初期位置が相互反対に形成されるようになる。
【００２０】
しかしながら、前述した構造を備えた従来技術によれば、ローラー部アセンブリ４１ｂ、４２ｂを下部レール１１ｂの進行方向に平行な方向成分を含んだ移動力（Ｆｐ）で押す場合、レール進行方向に垂直になる方向に作用する垂直分力（Ｆｖ）によりローラー４１ｂと下部レール１１ｂとの間に前述した反力が作用するようになるが、このような反力は窮極的にローラー及びレールの間に大きい摩擦力でも作用するようになって、水平分力（Ｆｈ）によりレールに沿って進行しようとするローラーの動きを妨害することがある。即ち、開閉作動手段を用いてローラー部アセンブリを押しても前述した反力によりローラーとレールとの間に発生できる摩擦力によりローラーがレールで動かない現象が発生する問題がありうる。
【００２１】
また、システムタイプの窓戸に適用される移動窓４０の荷重は、その開閉作動手段５０などの構成により一般タイプの窓戸に適用される移動窓の荷重より遥かに大きいという点を勘案する時、移動窓４０が垂直移動する過程で移動窓４０の下部フレーム４０ｂとローラー部アセンブリ４１ｂ、４２ｂの上部板４２ｂとの間には大きな摩擦抵抗がかかるようになって、移動窓４０の円滑な垂直移動に障害になることがある。
【発明の概要】
【発明が解決しようとする課題】
【００２２】
本発明は従来技術に対する問題点を解決するためのものであって、本発明の技術的課題は、スライディング窓戸が設置される窓設置フレームのプロファイル端面構造を改善して断熱機能を大幅に向上させることができるだけでなく、風圧に耐える耐風圧性を向上させることができるスライディング窓戸の設置構造を提供し、かつローラーとレールとの間に垂直反力が届かないようにして移動窓をレールの長手方向と垂直な方向に円滑に移動させることができるスライディング窓戸構造を提供することにある。
【００２３】
本発明の他の技術的課題は、移動窓の荷重の大きさに関わらず移動窓が略垂直方向に移動される間、移動窓が円滑にスライディングできるようにすることで、完壁な封止作用が円滑に遂行できるようにするスライディング窓戸構造を提供することにある。
【課題を解決するための手段】
【００２４】
上記の目的を達成するために、本発明に係るアルミサッシ構造のスライディング窓戸システムの移動窓設置構造は、アルミニウム素材の内部フレームと外部フレーム及びこれを相互連結する合成樹脂素材の熱橋遮断材を含んでなり、建物壁体に環状(rectangular loop shape)に設置され、底面の上部に横方向にレールガイドが設置される窓枠と、上記窓枠の内部に設置される窓部材として、ガラス窓のような窓パネルを支持するアルミニウム素材の内部フレームと外部フレーム、及びこれを相互連結する合成樹脂素材の熱橋遮断材を含んでなる固定窓及び移動窓を備えるスライディング窓戸システムにおいて、前面に第１熱橋遮断封止部材を備えたアルミニウム素材で作られて、上記窓枠の外部フレームの内部に移動窓閉鎖領域に環状(rectangular loop shape)に提供され、上記内部フレームと上記外部フレームとの間を連結するように提供される移動窓封止フレームと、上記移動窓封止フレームに対する封止のために上記移動窓の上記窓枠のレールガイドの長さに従う縦方向の摺動を提供するように上記移動窓の下部に上記移動窓から分離されて設置されるローラー装置と、上記ローラー装置から上記移動窓を分離させて上記移動窓の背面に提供される第２熱橋遮断封止部材が上記移動窓封止フレームの上記第１熱橋遮断封止部材と接するようにレールガイドを横切る横方向のシーリング摺動を遂行するように上記移動窓の下部フレームの内部ポケットに設置される移動窓横方向移動装置と、上記移動窓横方向移動装置の作動により上記移動窓がレールガイドを横切る横方向のシーリング摺動を遂行する間に上記ローラー装置に垂直分力が届かないようにし、また上記移動窓がレールガイドの長手方向に沿って移動される間には上記移動窓と上記ローラー装置とが一体に進行できるように、上記ローラー装置の上部面に対する上記移動窓の下部フレームのレールガイド進行方向に垂直になる移動変位のみを許容し、転がり移動ガイドするように上記ローラー装置の上部面と上記移動窓の下部フレームの下部面との間に提供される垂直方向スライディングユニットを含んでなり、そして、上記窓枠を構成する上記内部フレームと上記外部フレームとを熱伝逹遮断方式により相互連結するように設置される合成樹脂素材の熱橋遮断材と、上記外部フレームに連結された上記移動窓封止フレームと上記内部フレームとを熱伝逹遮断方式により相互連結するように設置される合成樹脂素材の熱橋遮断材の設置方向が相互直交するように配置して、上記内部フレーム、上記外部フレーム、上記移動窓封止フレーム、及び上記内部フレームが熱橋遮断材を通じて環状(rectangular loop shape)に連結されて、その内部に熱遮断空気層が形成されるようにしたことを特徴とする、アルミサッシ構造のスライディング窓戸システムの移動窓設置構造を提供する。
【００２５】
ここで、上記移動窓の下部フレームの内部ポケットに設置される上記移動窓横方向移動装置は、上記移動窓に平面的なフレーム形状に固定設置され、フレーム表面からガイド突起が突出形成されるか、または上記レールガイドの長手方向に対して設定角度に傾斜するように形成される傾斜ガイド溝が形成される固定フレームと、上記固定フレームに平面的に隣接して摺動可能に備えられ、上記ガイド突起が嵌められてスライディングガイドできるように上記レールガイドの長手方向に対して設定角度に傾斜するように形成される傾斜ガイド溝が形成されるか、またはフレーム表面からガイド突起が突出形成され、上記移動窓の下部フレームの内部ポケットでレール進行方向に平行な方向に摺動可能に提供される移動フレームと、上記移動窓の側面に固定設置され、上記移動フレームに連結されてレール進行方向に平行な方向の移動力を加える開閉作動駆動部と、上記窓枠に備えられ、上記レールガイドの前面及び背面に各々設定間隔離隔して備えられる前面支持レール及び背面支持レールと、そして、上記移動フレームに備えられ、上記開閉作動駆動部により上記移動フレームが移動される場合、上記ガイド突起と上記傾斜ガイド溝の傾斜方向の移動力に対して、上記移動窓と上記前面支持レールまたは上記背面支持レールの間でレール進行方向に対して垂直方向に上記移動窓を押しながら上記レール進行方向に対して垂直方向である横方向に移動させる反力を提供する押圧部を含んでなることがより好ましい。
【００２６】
ここで、上記移動窓横方向移動装置を構成する上記移動フレームが上記移動窓の下部フレームの内部ポケットから移動窓の側面の上記開閉作動駆動部に延びるように提供される側面ポケットに隣接して追加的に形成される補強材ポケットに、上記移動窓の上下長手方向の曲げ剛性を補強するように側面曲げ剛性補強材が挿入設置されることが好ましい。
【００２７】
また、上記垂直方向スライディングユニットは、移動窓横方向移動装置により移動窓が垂直方向にスライディングシーリング移動する間に、上記ローラー装置に垂直分力が届かないように上記ローラー装置と上記移動窓横方向移動装置との間に提供されるものであって、上記移動窓横方向移動装置を構成する上記固定フレームの底面に備えられる平らな板部材と、そして、上記板部材に接するようにローラー装置の平面に備えられ、かつレールガイドの長手方向に対して垂直な方向のみに滑る構造を有するベアリング部を含んでなることができる。
【００２８】
一例に、上記ベアリング部は上記ローラー装置の平面に備えられるベアリング取付部と、そして、上記ベアリング取付部に配列され、かつ上記レールガイドの長手方向と同一な長手方向を有するように配列されるフィンタイプローラーベアリングを含むことができる。
【００２９】
また、前述したように、レールガイドの長手方向に対して垂直な方向のみに滑る構造を提供するために、図面の実施形態を通じて例示したように、上記固定フレームの底面に備えられる係止段と、そして、上記係止段にかかるように上記ローラー装置の平面に形成される係止段を含むことができる。
【００３０】
そして、上記押圧部は上記移動フレームの上記ガイド突起の端部に固定され、上記固定フレームの底面にスライディング可能に備えられる支持部材と、そして、上記前面支持レールまたは上記背面支持レールを直接押しながら上記移動窓を移動させるだけでなく、上記移動フレーム及び上記支持部材が設定距離移動する間、上記前面支持レールまたは上記背面支持レールとの接触摩擦を最小化させるために、上記支持部材に回転可能に備えられる押圧用円形ローラを含むことができる。
【００３１】
また、上記押圧用円形ローラは、上記支持部材の底面の中心に回転可能に備えられ、そして上記押圧用円形ローラの直径は上記前面支持レール及び上記背面支持レールの間の間隔より小さく、上記移動窓横方向移動装置により上記移動窓が垂直方向に移動できる程度に設定できる。
【００３２】
そして、上記移動窓横方向移動装置は、上記移動フレーム及び上記支持部材が上記固定フレームで円滑に移動されるように上記支持部材と上記固定フレームとの間に備えられる潤滑シートをさらに含むことができる。
【００３３】
また、上記移動フレームの長さを延長させるために、上記移動フレームで設定間隔離隔して備えられる延長用移動フレームがさらに含まれる場合、上記支持部材は上記移動フレームと上記延長用移動フレームとを連結させる構造を有することができる。
【００３４】
併せて、上記ローラー装置は下部が開放されたハウジングと、上記ハウジングの内部に取り付けられ、上記移動窓の荷重を支持する平板形状の荷重支持板と、上記移動窓が上記窓枠の上記レールガイドに沿って移動される場合、上記荷重支持板を軸にして回転されるように上記荷重支持板に巻かれる輪型ローリングユニットを含むことができる。特に、上記輪型ローリングユニットは、複数個のローリング部材と、そして、上記複数個のローリング部材が互いに設定間隔を置いて上記荷重支持板の表面に均等に配置されるように上記複数個のローリング部材を互いに連結させるリンクユニットを含むことができる。
【００３５】
また、上記ローラー装置は上記輪型ローリングユニットを上記荷重支持板の左／右に滑り無しで案内する案内ユニットをさらに含むことができる。一例に、上記案内ユニットは上記荷重支持板に形成され、かつその周りに沿って形成される案内レールと、そして、上記案内レールに相応するように上記複数個のローリング部材の各々に形成される案内溝を含むことができる。
【００３６】
延いては、上記レールガイドは上記前面支持レールと上記背面支持レールとの間に備えられて上記複数個のローリング部材を案内する中央レールと、そして、上記中央レールの長手方向と同一な長手方向を有し、上記中央レールの平面に突出形成される補助案内レールをさらに含むことができ、そして上記ローラー装置の左／右揺れを防ぐために、上記補助案内レールは上記案内溝に挿入できる。
【００３７】
また、上記ローラー装置は、上記中央レール及び上記補助案内レール上にある異質物が上記ハウジングの内部に流入しないようにすると共に、異質物が上記ハウジングの外部に掃かれるように上記ハウジングの移動方向を基準に上記ハウジングの前部及び後部に各々備えられる異質物カーテンをさらに含むことができる。
【００３８】
そして、上記垂直方向スライディングユニットは、上記ローラー装置の上記ハウジングと上記移動窓横方向移動装置の上記固定フレームとの間に備えられる。また、上記ローラー装置は、上記ハウジングが上記前面支持レール及び上記背面支持レールに接触時、接触抵抗を減らすために、上記ハウジングの両側面に各々回転可能に備えられる側部ローラをさらに含むことができる。
【発明の効果】
【００３９】
本発明によれば、アルミサッシ構造のスライディング窓戸が設置される窓設置フレームのプロファイル端面構造を改善して断熱機能を大幅に向上させることができるだけでなく、結露現象を最小化できるだけでなく、風圧に耐える耐風圧性を向上させることができるスライディング窓戸の封止開閉が可能な設置構造を提供しながら、またローラー装置とレールとの間に垂直反力が届かないようにし、かつ移動窓をレールの長手方向と垂直な方向に円滑に封止摺動させることができるスライディング窓戸の開閉装置構造も共に提供する。
【００４０】
また、本発明によれば、移動窓の荷重の大きさに関わらず、移動窓が略垂直方向に移動される間、移動窓が円滑にスライディングできるようにすることで、完壁な封止作用が円滑に遂行できるようにする効果を提供する。
【図面の簡単な説明】
【００４１】
【図１】スライディング窓戸システムの一般的な構成を示す図である。
【図２】スライディング窓戸システムの一般的な構成を示す図である。
【図３】スライディング窓戸システムの一般的な構成を示す図である。
【図４】従来のリフトアンドスライディング方式による引き戸窓戸システムを示す図である。
【図５】従来のリフトアンドスライディング方式による引き戸窓戸システムを示す図である。
【図６】従来のスライディング窓戸システムの移動窓開閉装置を概略的に示す斜視図である。
【図７】図６のスライディング窓戸システムの移動窓開閉装置における移動窓がレールの長手方向に対して垂直な方向に移動される前の状態を示す要部斜視図である。
【図８】図６のスライディング窓戸システムの移動窓開閉装置における移動窓がレールの長手方向に対して垂直な方向に移動されて封止部材を押圧した状態を示す要部斜視図である。
【図９】(図９ａ,図９ｂ)図６のスライディング窓戸システムの移動窓開閉装置における移動窓がレールの長手方向に対して垂直な垂直方向に移動される前の状態及び移動された状態を示す縦断面図である。
【図１０】従来のスライディング窓戸システムの移動窓開閉装置のうち、移動窓横方向移動装置を示す要部斜視図である。
【図１１】図１０の主要構成及び作動状態を示す要部斜視図である。
【図１２】図１０の移動窓横方向移動装置が適用されたスライディング窓戸システムの移動窓開閉装置における移動窓がレールの長手方向に対して垂直な方向に移動される前及び移動された状態を示す図である。
【図１３】他の類型の開閉作動駆動部（開閉作動手段）を示す図である。
【図１４】図１３に図示された開閉作動駆動部の主要構成及び作動状態を示す図である。
【図１５】本発明の一実施形態に係るアルミサッシ構造のスライディング窓戸システムの横断面図であって、移動窓がシーリングスライディングされる以前の状態を示す図である。
【図１６】本発明の一実施形態に係るアルミサッシ構造のスライディング窓戸システムの横断面図であって、移動窓がシーリングスライディングされた状態を示す図である。
【図１７】一実施形態に係るアルミサッシ構造のスライディング窓戸システムの横断面図であって、移動窓が開放された状態を示す図である。
【図１８】本発明の追加的な実施形態に係るアルミサッシ構造のスライディング窓戸システムの横断面図であって、耐風圧性の向上のために移動窓に側面曲げ剛性補強材が追加設置された状態を示す図である。
【図１９】図１５のＡ−Ａ’線の断面図である。
【図２０】図１６のＡ−Ａ’線の断面図である。
【図２１】図１７のＢ−Ｂ’線の断面図である。
【図２２】本発明の一実施形態に係るアルミサッシ構造のスライディング窓戸システムの横断面図であって、移動窓がシーリングスライディングされた状態の断熱構造（断熱線）を示す図である。
【図２３】図２０（シーリング）状態から図１９（シーリング解除状態）の作動状態を拡大図示した側断面図である。
【図２４】図１９（シーリング解除状態）から図２０（シーリング状態）の作動状態を拡大図示した側断面図である。
【図２５】図２０（シーリング状態）から図１９（シーリング解除状態）への作動状態を窓枠の正面から眺めた断面図である。
【図２６】図１９（シーリング解除状態）から図２０（シーリング状態）への作動状態を窓枠の正面から眺めた断面図である。
【図２７】本発明の一実施形態に係るアルミサッシ構造のスライディング窓戸システムの移動窓開閉装置のうち、ローラー装置の上に移動窓横方向移動装置が備えられた状態を示す斜視図である。
【図２８】本発明の一実施形態に係るアルミサッシ構造のスライディング窓戸システムの移動窓開閉装置のうち、ローラー装置が嵌められた窓枠と、そして、ローラー装置の上に移動窓横方向移動装置が備えられた状態をローラー装置が移動する方向から眺めた側面図である。
【図２９】本発明の一実施形態に係るアルミサッシ構造のスライディング窓戸システムの移動窓開閉装置のうち、移動窓横方向移動装置が取り付けられた移動窓と、移動窓を支持するローラー装置と、そして、ローラー装置が嵌められた窓枠をローラー装置が移動する方向から眺めた概略斜視図である。
【図３０】図２７の平面図である。
【図３１】本発明の一実施形態に係るスライディング窓戸システムの移動窓開閉装置のうち、移動窓横方向移動装置を示す底面図である。
【図３２】本発明の一実施形態に係るスライディング窓戸システムの移動窓開閉装置のうち、ローラー装置を示したものであって、上から眺めた斜視図である。
【図３３】図３２のローラー装置を下から眺めた斜視図である。
【図３４】図３２のローラー装置の案内ユニットを詳細に示す組立斜視図である。
【図３５】本発明の一実施形態に係るスライディング窓戸システムの移動窓開閉装置における押圧用円形ローラーが支持部材に回転可能に備えられた状態を示すものであって、下から眺めた斜視図である。
【図３６】図２８の状態で移動窓が固定される固定フレームが右側に移動された状態を示す側面図である。
【図３７】図３０の状態で押圧用円形ローラーが前面支持レールを押して移動窓が固定される固定フレームが右側に移動された状態を示す平面図である。
【図３８】図３１の状態で押圧用円形ローラーが前面支持レールを押して移動窓が固定される固定フレームが右側に移動された状態を示す底面図である。
【図３９】図２８の状態で移動窓が固定される固定フレームが左側に移動された状態を示す側面図である。
【図４０】図３０の状態で押圧用円形ローラーが背面支持レールを押して移動窓が固定される固定フレームが左側に移動された状態を示す平面図である。
【図４１】図３１の状態で押圧用円形ローラーが背面支持レールを押して移動窓が固定される固定フレームが左側に移動された状態を示す底面図である。
【発明を実施するための形態】
【００４２】
以下、添付した図面を参考して本発明の実施形態に対して本発明が属する技術分野で通常の知識を有する者が容易に実施することができるように詳細に説明する。しかしながら、本発明は種々の相異する形態に具現されることができ、ここで説明する実施形態に限定されるものではない。
【００４３】
まず、図１５から図２７に示すように例示される本発明の好ましい一実施形態に係るアルミサッシ構造のスライディング窓戸システム及びその移動窓設置構造は、次の通りである。
【００４４】
ここで、図１５は本発明の一実施形態に係るアルミサッシ構造のスライディング窓戸システムの横断面図であって、移動窓がシーリングスライディングされる以前の状態を図示し、図１６は移動窓がシーリングスライディングされた状態を示しており、そして、図１７は移動窓が右方に移動されて窓自体が外部に開放された状態を図示している。また、図１９は図１５のＡ−Ａ’線の断面図を示し、図２０は図１６のＡ−Ａ’線の断面図を示し、そして、図２１は図１７のＢ−Ｂ’線の断面図を示す。
【００４５】
即ち、本発明に係るアルミサッシ構造のスライディング窓戸システムは、前述した図面に示すように、基本的に熱伝導率の高いアルミニウム素材の内部フレーム１００ａと外部フレーム１００ｂ、及びこれを相互連結する合成樹脂素材の熱橋遮断材１００ｃ１を含んでなり、建物壁体に環状に設置され、底面の上部に横方向にレールガイドが設置される窓枠１００、及び上記窓枠１００の内部に設置される窓部材として、ガラス窓のような窓パネル２００ｇ、３００ｇを支持する熱伝導率の高いアルミニウム素材の内部フレーム２００ａ、３００ａと外部フレーム２００ｂ、３００ｂ、及びこれを相互連結する合成樹脂素材の熱橋遮断材２００ｃ、３００ｃを含んでなる固定窓２００、及び移動窓３００を備えるスライディング窓戸システムにおいて、前面に、例えば合成樹脂材で製作できる第１熱橋遮断封止部材１００ｓを備えたアルミニウム素材で作られて、上記窓枠１００の外部フレーム１００ｂの内部に移動窓閉鎖領域に環状に提供され、上記内部フレーム１００ａと上記外部フレーム１００ｂとの間を連結するように提供される移動窓封止フレーム１００ｄと、上記移動窓封止フレーム１００ｄに対する封止のために上記移動窓３００の上記窓枠１００のレールガイド１００ｒの長さに従う縦方向の摺動を提供するように上記移動窓３００の下部に上記移動窓３００から分離されて設置されるローラー装置４００と、上記ローラー装置４００から上記移動窓３００を分離させて上記移動窓３００の背面に提供されるものであって、弾性を有する素材、例えば合成ゴムで製作できる第２熱橋遮断封止部材３１０ｓが上記移動窓封止フレーム１００ｄの上記第１熱橋遮断封止部材１００ｓと接するようにレールガイド１００ｒを横切る横方向のシーリング摺動を遂行するように上記移動窓３００の下部フレーム３００ｄの内部ポケット３００ｄ１に設置される移動窓横方向移動装置５００と、上記移動窓横方向移動装置５００の作動により上記移動窓３００がレールガイド１００ｒを横切る横方向のシーリング摺動を遂行する間に、上記ローラー装置４００に垂直分力が届かないようにし、また上記移動窓３００がレールガイド１００ｒの長手方向に沿って移動される間には上記移動窓３００と上記ローラー装置４００が一体に進行できるように、上記ローラー装置４００の上部面に対する上記移動窓３００の下部フレーム３００ｄのレールガイド１００ｒの進行方向に垂直になる移動変位のみを許容し、転がり移動ガイドするように上記ローラー装置４００の上部面と上記移動窓３００の下部フレーム３００ｄの下部面との間に提供される垂直方向スライディングユニット６００を含んでなり、そして、上記窓枠１００を構成する上記内部フレーム１００ａと上記外部フレーム１００ｂとを熱伝逹遮断方式により相互連結するように設置される合成樹脂素材の熱橋遮断材１００ｃ１と、上記外部フレーム１００ｂに連結された上記移動窓封止フレーム１００ｄと上記内部フレーム１００ａとを熱伝逹遮断方式により相互連結するように設置される合成樹脂素材の熱橋遮断材１００ｃ２の設置方向が相互直交するように配置して、上記内部フレーム１００ａ、上記外部フレーム１００ｂ、上記移動窓封止フレーム１００ｄ、及び上記内部フレーム１００ａが熱橋遮断材１００ｃ１、１００ｃ２（１００ｃ）を通じて環状に連結されて、その内部に熱遮断空気層３００ｉが形成されるようにしたことを特徴とする、アルミサッシ構造のスライディング窓戸システムの移動窓設置構造を提供する。
【００４６】
このように構成されたアルミサッシ構造のスライディング窓戸システムの移動窓設置構造では、図２２に拡大図示したように、上記窓枠１００を構成する上記内部フレーム１００ａと上記外部フレーム１００ｂとを熱伝逹遮断方式により相互連結するように設置される合成樹脂素材の熱橋遮断材１００ｃ１と、上記外部フレーム１００ｂに連結された上記移動窓封止フレーム１００ｄと上記内部フレーム１００ａとを熱伝逹遮断方式により相互連結するように設置される合成樹脂素材の熱橋遮断材１００ｃ２の設置方向が相互直交するように配置することによって、上記内部フレーム１００ａ、上記外部フレーム１００ｂ、上記移動窓封止フレーム１００ｄ、及び上記内部フレーム１００ａが上記熱橋遮断材１００ｃ１、１００ｃ２、１００ｃを通じて環状に連結されて、その内部に熱遮断空気層３００ｉが形成するようになり、これで図２２に示すように、窓の外部から建物の内部に至るように外部の１次上下連結構造を形成する移動窓封止フレーム１００ｄ及び外部フレーム１００ｂの連結構造と、内部の２次上下連結構造を形成する移動窓３００及び内部フレーム１００ａの連結構造の間に、移動窓３００の熱橋遮断材３００ｃ、第２熱橋遮断封止部材３１０ｓ、第１熱橋遮断封止部材１００ｓ、熱橋遮断材１００ｃ２、熱遮断空気層３００ｉ、及び熱橋遮断材１００ｃ１で形成される断熱線（“ＩＮＳ”）がほぼ完壁に構築されるようにすることによって、高い熱遮断効率を提供し、また窓戸内外部の高い温度差により発生する場合でのアルミサッシの結露現象も防止できる効果を表すようになる。一方、図２２に図面符号‘１００ｋ’で図示された連結胴体部は、移動窓封止フレーム１００ｄと内部フレーム１００ａとを連結するための連結構造体に提供されるものであって、移動窓封止フレーム１００ｄと上記連結胴体部１００ｋとの間には第１熱橋遮断封止部材１００ｓ及び熱橋遮断材１００ｃ２が設置される。
【００４７】
だけでなく、移動窓３００を構成する内部フレーム３００ａと外部フレーム３００ｂとの間に位置する窓パネル３００ｇに隣接して熱橋遮断材が配置されないように構成することによって、後述するような細部的な構成を有する上記移動窓横方向移動装置５００が窓の中心部に位置できるようにすることによって、移動窓横方向移動装置５００によるシーリング摺動のための開閉作動駆動部の作動にかかる力の縮小効果のように、力学的に有利な作用効果を得るように助ける。
【００４８】
ここで、上記移動窓３００の下部フレーム３００ｄの内部ポケット３００ｄ１に設置される上記移動窓横方向移動装置５００は、前述した図面と共に、図２３から図２７に示すように、上記移動窓３００に平面的なフレーム形状に固定設置され、フレーム表面からガイド突起（図示せず）が突出形成されるか、または上記レールガイド１００ｒの長手方向に対して設定角度に傾斜するように形成される傾斜ガイド溝５１１が形成される固定フレーム５１０と、上記固定フレーム５１０に平面的に隣接して摺動可能に備えられ、上記ガイド突起が嵌められてスライディングガイドできるように上記レールガイド１００ｒの長手方向に対して設定角度に傾斜するように形成される傾斜ガイド溝（図示せず）が形成されるか、またはフレーム表面からガイド突起５２１が突出形成され、上記移動窓３００の下部フレーム３００ｄの内部ポケット３００ｄ１でレール進行方向に平行な方向に摺動可能に提供される移動フレーム５２０と、上記移動窓３００の側面に固定設置され、上記移動フレーム５２０に連結されてレール進行方向に平行な方向の移動力を加える開閉作動駆動部５３０と、上記窓枠１００に備えられ、上記レールガイド１００ｒの前面及び背面に各々設定間隔離隔して備えられる前面支持レール５４０及び背面支持レール５５０と、そして、上記移動フレーム５１０に備えられ、上記開閉作動駆動部５３０により上記移動フレーム５２０が移動される場合、上記ガイド突起５２１と上記傾斜ガイド溝５１１の傾斜方向の移動力に対して、上記移動窓３００と上記前面支持レール５４０または上記背面支持レール５５０との間でレール進行方向に対して垂直方向に上記移動窓３００を押しながら上記レール進行方向に対して垂直方向である横方向に移動させる反力を提供する押圧部５６０を含んでなることがより好ましい。
【００４９】
また、ここで、図１８に示すように、上記移動窓横方向移動装置５００を構成する上記移動フレーム５２０が上記移動窓３００の下部フレーム３００ｄの内部ポケット３００ｄ１（図１９参照）から移動窓３００の側面の上記開閉作動駆動部５３０に延びるように提供される側面ポケット３００ｄ２に隣接して追加的に設置される補強材設置カバー３００ｄ３により形成される補強材ポケットの内部に、上記移動窓３００の上下長手方向の曲げ剛性を補強するように側面曲げ剛性補強材３２０が挿入設置されることが好ましいが、これによって、移動窓３００は高い耐風圧性を発揮するようにする。一方、図１８に示すように、移動窓封止フレーム１００ｄの内部にも曲げ剛性補強材１２０が設置できる。
【００５０】
また、上記垂直方向スライディングユニット６００は、まずその具体的な構成が斜視図の形態に図示された図２７及び図３２と、その作動状態が正面図及び平面図の同時表示形態に図示された図２５及び図２６と、そして、残りの図２８から図４１の図面を参照して説明する。
【００５１】
上記図面に示すように、上記垂直方向スライディングユニット６００は、移動窓横方向移動装置５００により移動窓３００が垂直方向にスライディングシーリング移動する間に上記ローラー装置４００に垂直分力が届かないように上記ローラー装置４００と上記移動窓横方向移動装置５００との間に提供されるものであって、上記移動窓横方向移動装置５００を構成する上記固定フレーム５１０の底面に備えられる平らな板部材６１０と、そして、上記板部材６１０に接するようにローラー装置４００の平面に備えられ、かつ中央レール１１０の長手方向に対して垂直な方向のみに滑る構造を有するベアリング部６２０を含んでなることができる。
【００５２】
図２７は本発明の一実施形態に係るアルミサッシ構造のスライディング窓戸システムの移動窓開閉装置のうち、ローラー装置４００の上に移動窓横方向移動装置５００が備えられた状態を示す斜視図であり、図２８は本発明の一実施形態に係るスライディング窓戸システムの移動窓開閉装置のうち、ローラー装置４００が嵌められた窓枠１００と、そして、ローラー装置４００の上に移動窓横方向移動装置５００が備えられた状態をローラー装置４００が移動する方向から眺めた側面図であり、そして、図２８は本発明の一実施形態に係るスライディング窓戸システムの移動窓開閉装置のうち、移動窓横方向移動装置５００が取り付けられた移動窓３００と、移動窓３００を支持するローラー装置４００と、そして、ローラー装置４００が嵌められた窓枠１００をローラー装置４００が移動する方向から眺めた概略斜視図である。
【００５３】
図３０は図２７の平面図であり、そして、図３１は本発明の一実施形態に係るスライディング窓戸システムの移動窓開閉装置のうち、移動窓横方向移動装置５００を示す底面図である。
【００５４】
図３２は本発明の一実施形態に係るアルミサッシ構造のスライディング窓戸システムの移動窓開閉装置のうち、ローラー装置４００及び垂直方向スライディングユニット６００を示すものであって、上から眺めた斜視図であり、図３３は図３２のローラー装置４００を下から眺めた斜視図であり、そして、図３４は図３２及び図３３のローラー装置４００の案内ユニット４４０を詳細に示す組立斜視図である。
【００５５】
図３５は、本発明の一実施形態に係るスライディング窓戸システムの移動窓開閉装置における押圧用円形ローラー５６２が支持部材５６１に回転可能に備えられた状態を示すものであって、下から眺めた斜視図である。
【００５６】
本発明の一実施形態に係るスライディング窓戸システムの移動窓開閉装置は、図２７から図３５に示すように、窓枠１００と、ローラー装置４００と、移動窓３００と、移動窓横方向移動装置５００と、そして、垂直方向スライディングユニット６００を含む。以下、各構成要素について具体的に説明する。
【００５７】
窓枠１００は、図２９に示すように、建物の開放された壁面に環状に設置され、移動窓３００が移動可能に備えられる箇所であって、熱伝導率の高いアルミニウム素材の内部フレーム１００ａと外部フレーム１００ｂ、及びこれを相互連結する合成樹脂素材の熱橋遮断材１００ｃ１を含んでなり、底面の上部に横方向にレールガイド１００ｒが設置される。
【００５８】
そして、前述したように、アルミニウム素材で作られて、上記内部フレーム１００ａと上記外部フレーム１００ｂとの間を連結するように上記窓枠１００の外部フレーム１００ｂ内部に移動窓閉鎖領域に環状に提供される移動窓封止フレーム１００ｄが提供されるが、その前面には、例えば合成樹脂材で製作できる第１熱橋遮断封止部材１００ｓが提供される。
【００５９】
このような窓枠１００は、移動窓３００を円滑に移動させるためのレールガイド１００ｒを含む。特に、このようなレールガイド１００ｒには、移動窓３００の下部のローラー装置４００の底面が直接当たる中央レール１１０が含まれることができる。
【００６０】
ローラー装置４００は、図２９、図３２から図３４に示すように、移動窓３００が円滑に上記中央レール１１０に沿って移動できるように移動窓３００の輪の役割をする。特に、ローラー装置４００の上部の平面に移動窓３００の底面が置かれるようになるが、ローラー装置４００に垂直分力（図３の“Ｆｖ”参照）が伝達されないように移動窓横方向移動装置５００とローラー装置４００との間には後述する垂直方向スライディングユニット６００が備えられる。
【００６１】
移動窓横方向移動装置５００は、図２９に示すように、移動窓３００に固定され、図２７、図３０、及び図３１に示すように、移動窓３００を中央レール１１０の長手方向（即ち、レール進行方向）に垂直になる横方向に摺動させるための構成を有する。このように、移動窓３００を中央レール１１０の長手方向（レール進行方向）に対して垂直になる横方向に摺動させる理由は、前述した“背景技術”欄で既に言及した通り、移動窓３００を窓枠１００［または、固定窓２００］側に移動させて、その間を封止処理することによって、窓戸システムの防音性、気密性、水密性、断熱性、耐風圧性などに対する良質の性能を得るためである。特に、このような封止のために、図２９に示すように、窓枠１００の内部に環状に配置される移動窓封止フレーム１００ｄと移動窓３００との間には合成樹脂材で製作できる第１熱橋遮断封止部材１００ｓと、そして、上記移動窓３００の背面に提供されるものとして、所定の弾性を有する第２熱橋遮断封止部材３１０ｓが上記移動窓封止フレーム１００ｄの上記第１熱橋遮断封止部材１００ｓと接するように備えられる。
【００６２】
移動窓横方向移動装置５００のより具体的な説明は後述する。
【００６３】
垂直方向スライディングユニット６００は、図２７、図３１、及び図３２に示すように、移動窓横方向移動装置５００により移動窓３００が垂直方向にスライディングシーリング移動する間に、上記ローラー装置４００に垂直分力（図３の“Ｆｖ”参照）が届かないようにローラー装置４００と移動窓横方向移動装置５００との間に備えられる。
【００６４】
特に、このような垂直方向スライディングユニット６００は、垂直分力（図３の“Ｆｖ”参照）が移動窓３００及び後述する移動フレーム５２０に届いてもローラー装置４００にはこのような垂直分力（図３の“Ｆｖ”参照）が伝達できないようにすることにその目的がある。
【００６５】
このために、一例として、垂直方向スライディングユニット６００は平らな板部材（図３１の“６１０”参照）と、そして、ベアリング部（図３２の“６２０”参照）を含むことができる。平らな板部材６１０は、移動窓横方向移動装置５００の一構成である固定フレーム５１０の底面に備えられ、そしてベアリング部６２０は上記板部材６１０の底面に接するようにローラー装置４００の上部平面に備えられ、かつ上記板部材６１０が中央レール１１０の長手方向に対して垂直な方向に滑ることができるようにする構造を有するように形成される。したがって、平らな板部材６１０がベアリング部６２０で実質的に垂直な方向に滑るようになる。勿論、ここで言う実質的に垂直な方向とは、ベアリング部６２０の上に置かれた部材［特に、移動窓３００］が若干の左右歪みがありえることを考慮して定義したものである。
【００６６】
より詳しくは、平らな板部材６１０がベアリング部６２０で垂直な方向に滑るようにするために、上記ベアリング部６２０は、図３２に示すように、ローラー装置４００のハウジング４１０の上部平面に備えられるベアリング取付部６２１と、そして、ベアリング取付部６２１に配列され、かつ中央レール１１０の長手方向と同一な長手方向を有するように配列される少なくとも１つのフィンタイプローラーベアリング６２２ａ、６２２ｂを含むことができる。結果的に、長いフィンタイプローラーベアリング６２２ａ、６２２ｂが提供されると共に、前述した配列状態を有することによって、フィンタイプローラーベアリング６２２ａ、６２２ｂの転がり移動方向は中央レール１１０の長手方向に対して実質的に垂直な方向に決定される。
【００６７】
延いては、ベアリング部６２０がその上に置かれる板部材６１０を正しく支持するためには、図３２に示すように、上記ベアリング部６２０はベアリング取付部６２１の中間に置かれてベアリング取付部６２１を第１及び第２区域６１２ａ、６１２ｂに分離する分離板６２３をさらに含み、そして、上記少なくとも１つのフィンタイプローラーベアリング６２２ａ、６２２ｂは第１区域６２１ａに垂直方向（図３２の矢印参照）に移動可能に置かれる第１フィンタイプローラーベアリング６２２ａと、第２区域６２１ｂに垂直方向（図３２の矢印参照）に移動可能に置かれる第２フィンタイプローラーベアリング６２２ｂを含むことができる。したがって、ベアリング部６２０の上に置かれる板部材６１０は第１及び第２フィンタイプローラーベアリング６２２ａ、６２２ｂに正しく支持されて、第１及び第２フィンタイプローラーベアリング６２２ａ、６２２ｂと共に、図３２の矢印方向に円滑にスライディングできる。
【００６８】
一方、図２７、図３１、及び図３２に示すように、移動窓３００が中央レール１１０の長手方向（即ち、レール進行方向）に沿って移動される間にはローラー装置４００も移動窓３００と共に一体化して移動されるように固定フレーム５１０とローラー装置４００との間には上記固定フレーム５１０の底面に備えられる係止段６５０と、そして、上記係止段６５０（図２７及び図３２参照）にかかるように上記ローラー装置４００の平面に形成される係止段６６０（図２７参照）の噛み合い構造が提供される。このような係止段６５０及び係止段６６０の噛み合い構造は、前述した垂直方向スライディングユニット６００の役割を妨害しないながら移動窓３００の中央レール１１０の長手方向に従う移動を可能にする役割を遂行することにある。即ち、移動窓横方向移動装置５００により移動窓３００の移動方向が垂直方向に転換される間にはローラー装置４００に垂直分力（図３の“Ｆｖ”参照）が届かないようにすることによって、垂直方向スライディングユニット６００の役割を妨害しないようにし、他の一方では移動窓３００が中央レール１１０の長手方向に沿って移動される間にはローラー装置４００も一体化して共に移動されるようにするものである。
【００６９】
これに対するより具体的な実施形態として、前述した垂直方向スライディングユニット６００のベアリング取付部６２１が図３２のようにローラー装置４００のハウジング４１０の上部平面から突出した構造を有する場合には、上記係止段６５０はベアリング取付部６２１の両端［即ち、レール進行方向を基準にベアリング取付部６２１の前後端］の段差付けた部位であり（図２７参照）、この場合、上記係止突起６６０は上記段差付けた部位に相応するように平らな板部材６１０の両端部［即ち、レール進行方向を基準に板部材６１０の前後端部］に形成（図３２参照）できる。
【００７０】
以下、図２７から図３１を参照して、後述することにした移動窓横方向移動装置５００をより具体的に説明する。
【００７１】
移動窓横方向移動装置５００は、移動窓３００の移動方向を中央レール１１０の長手方向と同一な方向（即ち、レール進行方向）から、これに垂直になる垂直方向に転換させる装置であって、第１傾斜ガイド部材（例えば、傾斜ガイド溝）を含んだ固定フレーム５１０と、第２傾斜ガイド部材（例えば、ガイド突起）を含んだ移動フレーム５２０と、開閉作動駆動部５３０と、前面支持レール５４０と、背面支持レール５５０と、そして押圧部５６０を含むことができる。以下、各構成要素をより具体的に説明する。
【００７２】
固定フレーム５１０は、図２９に示すように、移動窓３００の周り面の全体または一部に完全に固定され、移動窓３００が移動する場合、共に移動するようになる。また、図３０に図示された実施形態の場合のように、固定フレーム５１０には中央レール１１０の長手方向に対して設定角度に傾斜して形成される傾斜ガイド溝５１１が第１傾斜ガイド部材として形成できる。特に、傾斜ガイド溝５１１には後述する移動フレーム５２０に形成されたガイド突起５２１が挿入される箇所として、移動フレーム５２０が後述する開閉作動駆動部５３０により移動される場合、ガイド突起５２１が傾斜ガイド溝５１１に沿って移動するようになり、移動する間、移動フレーム５２０に備えられた押圧部５６０が後述する前面支持レール５４０［または、背面支持レール５５０］を押すようになる。このように押す間、固定フレーム５１０及びこれに固定された移動窓３００はレール進行方向に垂直な方向に移動するようになる。即ち、移動窓３００の移動方向がレール進行方向からこれに垂直な方向に転換される。参考に、このような傾斜ガイド溝５１１とガイド突起５２１との力学的関係は、図６から図９及び前述した“背景技術”欄に詳細に説明されているので、その具体的な説明は省略する。
【００７３】
延いては、傾斜ガイド溝５１１の形状は前述した“背景技術”欄に言及された従来の技術である韓国特許登録公報１０−０７２９２２２号の図２７ａから図３０ｂ（ＰＣＴ公開公報ＷＯ２００７／０７５０７５号のＦｉｇ．５６からＦｉｇ．６６）に示すように、種々の形態に具現できることは当然である。
【００７４】
また、本発明の更に他の実施形態によれば、ガイド突起５２１と傾斜ガイド溝５１１の各形成位置は互いに変わることができることは当然である。即ち、図面に図示してはいないが、固定フレーム５１０にガイド突起が形成され、移動フレーム５２０に傾斜ガイド溝が形成されることができ、これは図面に例示された実施形態と比較する時、均等論の領域に属する。
【００７５】
移動フレーム５２０は固定フレーム５１０と移動窓３００との間に位置し、図２７及び図３０に示すように、固定フレーム５１０にスライディング可能に備えられる。また、移動フレーム５２０には前述した傾斜ガイド溝５１１に沿って移動可能に備えられるガイド突起５２１が第２傾斜ガイド部材として形成される。傾斜ガイド溝５１１とガイド突起５２１の役割及び力学的関係は前述したことがあるので省略する。
【００７６】
開閉作動駆動部５３０は、移動フレーム５２０に移動力（図３の“Ｆｐ”参照）を加えるものであって、図２７に示すように、移動窓窓扉３００の側面の固定フレーム５１０に上下に移動可能に縦方向に設置される側面スライディングバー５３２と、上記側面スライディングバー５３２を上下に移動させるための作動力を印加するために設置される回転取っ手５３１ｈと、回転取っ手５３１ｈの回転運動を側面スライディングバー５３２の上下往復動に変換させるために設置されるラック５３１Ｌとピニオン５３１Ｐを含んだギア機構と、上記側面スライディングバー５３２と連結されて移動窓窓扉３００の上部または下部に往復動を伝達するように固定フレーム５１０の隅に設置される可撓性（flexible）スライダ５３３と、上記可撓性スライダ５３３と連動するように移動窓窓扉３００の上部または下部の固定フレーム５１０の内に水平方向に移動可能に設置される上部または下部スライディングバー５３４と、そして、上部または下部スライディングバー５３４を移動フレーム５２０にリンク連結させるコネクティングロッド部材５３５を含んでなる。他の例として、自動開閉機能の具現のために取っ手５３１ｈの代わりにセンサー（図示せず）を含んだ制御部と電動機（図示せず）などが使われることもできる。
【００７７】
前面支持レール５４０及び背面支持レール５５０は窓枠１００に備えられ、かつ中央レール１１０を基準に左側及び右側に各々設定間隔離隔して備えられる。また、固定フレーム５１０が前面支持レール５４０及び背面支持レール５５０から干渉を受けないように前面支持レール５４０及び背面支持レール５５０の高さは固定フレーム５１０の高さより低く設定される。特に、前面支持レール５４０及び背面支持レール５５０は後述する押圧部５６０が前面支持レール５４０［または、背面支持レール５５０］を押す場合、押圧部５６０に反対方向の反力を提供する役割をする。結局、このような反力により移動窓３００がレール進行方向の垂直な方向である右側（または、左側）に移動するようになる。
【００７８】
押圧部５６０は、図３１に示すように、移動フレーム５２０に備えられ、開閉作動駆動部５３０により移動フレーム５２０が移動される場合、前面支持レール５４０または背面支持レール５５０を押しながら移動窓３００を垂直方向に移動させるものである。具体的に、図３１及び図３４に示すように、押圧部５６０は移動フレーム５２０のガイド突起５２１の端部に固定され、固定フレーム５１０の底面にスライディング可能に備えられる支持部材５６１と、そして、支持部材５６１に回転可能に備えられる押圧用円形ローラー５６２を含むことができる。特に、押圧用円形ローラー５６２が支持部材５６１に回転可能に備えられることによって、前面支持レール５４０または背面支持レール５５０を直接押しながら移動窓３００を垂直方向に移動させるだけでなく、移動フレーム５２０及び支持部材５６１がガイド突起５２１により傾斜ガイド溝５１１に沿って設定距離移動する間にも前面支持レール５４０または背面支持レール５５０との接触摩擦を最小化させることができる効果がある。
【００７９】
また、図３１及び図３５に示すように、押圧用円形ローラー５６２は支持部材５６１の底面中心に回転可能に備えられ、そして、押圧用円形ローラー５６２の直径（Ｄ）は前面支持レール５４０及び上記背面支持レール５５０の間の間隔（Ｇ）より小さく、そして、移動窓横方向移動装置５００により上記移動窓３００が垂直方向に設定距離移動できる程度に設定できる。したがって、押圧用円形ローラー５６２が前面支持レール５４０及び背面支持レール５５０に同時に接触されないことによって、押圧用円形ローラー５６２は円滑な回転が可能になり、窮極的に押圧用円形ローラー５６２と前面支持レール５４０［または、背面支持レール５５０］との間の接触抵抗が最小化できる。
【００８０】
また、移動フレーム５２０の長さを延長させるために、移動フレーム５２０で設定間隔離隔して備えられる延長用移動フレーム（図示せず）がさらに含まれる場合、前述した支持部材５６１は移動フレーム５２０と上記延長用移動フレーム（図示せず）とを相互連結させる連結部材としての役割を遂行することができる。
【００８１】
また、前述した移動窓横方向移動装置５００は、移動フレーム５２０及び支持部材５６１が固定フレーム５１０で円滑に滑るように、支持部材５６１と固定フレーム５１０との間に備えられる潤滑シート５７０をさらに含むことができる。
【００８２】
以下、図２９、図３２から図３４を参照して、前述したローラー装置４００をより具体的に説明する。
【００８３】
ローラー装置４００は、図３２から図３４に示すように、下部が開放されたハウジング４１０と、ハウジング４１０の内部に取り付けられ、移動窓３００の荷重を支持する平板形状の荷重支持板４２０と、移動窓３００が窓枠１００の中央レール１１０に沿って移動する場合、荷重支持板４２０を軸にして回転されるように荷重支持板４２０に巻かれる輪型ローリングユニット４３０を含むことができる。ここで、輪型ローリングユニット４３０は、複数個のローリング部材４３１と、そして、複数個のローリング部材４３１が互いに設定間隔を置いて荷重支持板４２０の表面に均等に配置されるように複数個のローリング部材４３１を互いに連結させるリンクユニット４３２を含むことができる。
【００８４】
また、図３４に示すように、前述したローラー装置４００は輪型ローリングユニット４３０を荷重支持板４２０の左／右に滑り無しで案内する案内ユニット４４０をさらに含むことができる。一例に、案内ユニット４４０は荷重支持板４２０に形成され、かつその周りに沿って形成される案内レール４４１と、そして、案内レール４４１に相応するように複数個のローリング部材４３１の各々に形成される案内溝４４２を含むことができる。
【００８５】
また、図２８及び図２９に示すように、前述したレールガイド１００ｒは、中央レール１１０の長手方向と同一な長手方向を有し、中央レール１１０の平面に突出形成される補助案内レール１２０をさらに含むことができ、そして、ローラー装置４００の左／右揺れを防ぐために、上記補助案内レール１２０は上記案内溝４４２に挿入できる。
【００８６】
また、図２９及び図３２に示すように、前述したローラー装置４００は、中央レール１１０及び補助案内レール１２０の上にある異質物がハウジング４１０の内部に流入しないようにすると共に、異質物がハウジング４１０の外部に掃かれるようにハウジング４１０の移動方向を基準にハウジング４１０の前部及び後部に各々備えられる異質物カーテン４５０をさらに含むことができる。また、異質物カーテン４５０の中心には補助案内レール１２０が嵌められるように凹溝４５１が形成できる。
【００８７】
また、図３２に示すように、前述したローラー装置４００は、ハウジング４１０が前面支持レール５４０及び背面支持レール５５０に接触時、接触抵抗を減らすためにハウジング４１０の両側面に各々回転可能に備えられる側部ローラー４６０をさらに含むことができる。
【００８８】
以下、図３６から図４１を参照して、本発明の一実施形態に係るスライディング窓戸システムの移動窓開閉装置の動作を詳細に説明する。
【００８９】
まず、図３６から図３８を参照して、移動窓が右側に移動する過程を説明する。
【００９０】
図３６は図２８の状態で移動窓３００が固定される固定フレーム５１０が右側に移動された状態を示す側面図であり、図３７は図３０の状態で押圧用円形ローラー５６２が前面支持レール５４０を押してから垂直反力（“Ｆｖ”）を支持している状態で移動窓３００に固定される固定フレーム５１０が右側に移動された状態を示す平面図であり、そして、図３８は図３１の状態で押圧用円形ローラー５６２が前面支持レール５４０を押して移動窓３００が固定される固定フレーム５１０が右側に移動された状態を示す底面図である。
【００９１】
まず、図３０、図３１、及び図３６に示すように、ユーザが取っ手５３１ｈを握って回転させることによって、ギア機構５３１Ｐ、５３１Ｌを作動させて移動窓３００の側面に位置した側面スライディングバー５３２を下に降りると、図３０及び図３７に示すように、移動フレーム５２０が略レール進行方向（図面上の上方）に移動しながら移動フレーム５２０のガイド突起５２１が固定フレーム５１０の傾斜ガイド溝５１１に沿って移動するようになり、移動する間、移動フレーム５２０に備えられた支持部材５６１の押圧部５６０が前面支持レール５４０に接して設定距離レール進行方向に移動しながら前面支持レール５４０を徐々に押すようになる（図３１及び図３２参照）。この際、押圧部５６０が前面支持レール５４０を押す間、窓枠１００に固定された前面支持レール５４０から反対方向の反力を受けるようになるが、このような反力は押圧部５６０に固定されたガイド突起５２１にも及ぼすようになる。この間、傾斜ガイド溝５１１とこれに挿入されたガイド突起５２１との力学的関係によって、図２８及び図３６に示すように、固定フレーム５１０及びこれに固定された移動窓３００（図２９参照）は図面上の右側であるレール進行方向に垂直な方向に移動するようになる。結果的に、移動窓３００の背面に設置された所定の弾性を有する第２熱橋遮断封止部材３１０ｓが窓枠１００の内部の上記移動窓封止フレーム１００ｄの上記第１熱橋遮断封止部材１００ｓの前面に圧着（図３６参照）されることによって、防音性、気密性、水密性、断熱性、耐風圧性などに対する良質の性能が提供される。
【００９２】
以下、図３９から図４１を参照して、図２９に図示された移動窓３００が左側に移動される過程を説明する。
【００９３】
図３９は図２８の状態で移動窓３００が固定される固定フレーム５１０が左側に移動された状態を示す側面図であり、図４０は図３０の状態で押圧用円形ローラー５６２が背面支持レール５５０を押して移動窓３００が固定される固定フレーム５１０が左側に移動された状態を示す平面図であり、そして、図４１は図３１の状態で押圧用円形ローラー５６２が背面支持レール５５０を押して移動窓３００が固定される固定フレーム５１０が左側に移動された状態を示す底面図である。
【００９４】
まず、図２８及び図３９に示すように、ユーザが取っ手５３１ｈを握って回転させることによって、ギア機構５３１Ｐ、５３１Ｌを反対方向に作動させて移動窓３００の側面に位置した側面スライディングバー５３２を上方に上げれば、図３０及び図４０に示すように移動フレーム５２０が略レール進行方向（図面上、下方向）に移動しながら移動フレーム５２０のガイド突起５２１が固定フレーム５１０の傾斜ガイド溝５１１に沿って移動するようになり、移動する間、移動フレーム５２０に備えられた支持部材５６１の押圧部５６０が背面支持レール５５０に接して設定距離レール進行方向に移動しながら背面支持レール５５０を徐々に押すようになる（図３１及び図４１参照）。この際、押圧部５６０が背面支持レール５５０を押す間、窓枠１００に固定された背面支持レール５５０から反対方向の反力を受けるようになるが、このような反力は押圧部５６０に固定されたガイド突起５２１にも及ぼすようになる。この間、傾斜ガイド溝５１１とこれに挿入されたガイド突起５２１との力学的関係によって、図２８及び図３６に示すように、固定フレーム５１０及びこれに固定された移動窓３００は図面上の左側であるレール進行方向に垂直な方向に移動するようになる。結果的に、移動窓３００の背面に設置された所定の弾性を有する第２熱橋遮断封止部材３１０ｓが窓枠１００の内部の上記移動窓封止フレーム１００ｄの上記第１熱橋遮断封止部材１００ｓから完全に離れた状態になることによって、上記第１熱橋遮断封止部材１００ｓ及び第２熱橋遮断封止部材３１０ｓの接触による摩擦抵抗が完全に除去されるので、移動窓３００は容易に移動できるようになる。
【００９５】
一方、上記移動窓横方向移動装置５００は添付図面でローラー装置４００が設置される移動窓３００の下部に設置された部分を中心に図示及び説明されたが、移動窓３００の上部にも対称構造で設置されることを理解するべきである。
【００９６】
以上のように、本発明の実施形態に係るスライディング窓戸システムの移動窓開閉装置は、次のような効果を有することができる。
【００９７】
本発明の実施形態によれば、ローラーとレールとの間に垂直反力が届かないようにローラー装置４００と固定フレーム５１０との間に垂直方向スライディングユニット６００を備えることによって、固定フレーム５１０に固定された移動窓３００がレールの長手方向（即ち、レール進行方向）と垂直な方向に円滑に移動されるので、従来技術に比べて少ない力で開閉装置の操作が可能である。延いては、垂直方向スライディングユニット６００により移動窓３００が垂直方向に円滑に移動されるので、大きい荷重の移動窓が適用されても少ない力で開閉装置の操作が可能である。
【００９８】
また、本発明の一実施形態によれば、ローラー装置４００に案内ユニット４４０を提供し、窓枠１００に補助案内レール１２０を備えることによって、ローラー装置４００の左右揺れが最小化できるので、窓戸システムの安定した動作が具現できる。延いては、ローラー装置４００に異質物カーテン４５０を提供することによって、補助案内レール１２０及び中央レール１１０に存在する異質物がローラー装置の内部に流入されず、外部に掃かれるので、窓戸システムの安定した動作が持続的になされることができる。窮極的に、窓戸システムに対する信頼度を高めることができる。
【００９９】
以上、本発明の好ましい実施形態について詳細に説明したが、本発明の権利範囲はこれに限定されるものではなく、次の請求範囲で定義している本発明の基本概念を用いた当業者の種々の変形及び改良形態も本発明の権利範囲に属するものである。
【符号の説明】
【０１００】
１００    窓枠
１１０    中央レール
２００    固定窓
３００    移動窓
１００ａ、２００ａ、３００ａ    内部フレーム
１００ｂ、２００ｂ、３００ｂ    外部フレーム
１００ｃ１、１００ｃ２、１００ｃ、２００ｃ、３００ｃ    熱橋遮断材
１００ｄ    移動窓封止フレーム
３００ｉ    熱遮断空気層
３２０    側面曲げ剛性補強材
４００    ローラー装置
４１０    ハウジング
５００    移動窓横方向移動装置
５１０    固定フレーム
５１１    傾斜ガイド溝
４２０    移動フレーム
５２１    ガイド突起
４３０    開閉作動駆動部
５４０    前面支持レール
４５０    背面支持レール
５６０    押圧部
６００    垂直方向スライディングユニット
【図１】
2015517040.tif 000003
【図２】
2015517040.tif 000004
【図３】
2015517040.tif 000005
【図４】
2015517040.tif 000006
【図５】
2015517040.tif 000007
【図６】
2015517040.tif 000008
【図７】
2015517040.tif 000009
【図８】
2015517040.tif 000010
【図９】
2015517040.tif 000011
【図１０】
2015517040.tif 000012
【図１１】
2015517040.tif 000013
【図１２】
2015517040.tif 000014
【図１３】
2015517040.tif 000015
【図１４】
2015517040.tif 000016
【図１５】
2015517040.tif 000017
【図１６】
2015517040.tif 000018
【図１７】
2015517040.tif 000019
【図１８】
2015517040.tif 000020
【図１９】
2015517040.tif 000021
【図２０】
2015517040.tif 000022
【図２１】
2015517040.tif 000023
【図２２】
2015517040.tif 000024
【図２３】
2015517040.tif 000025
【図２４】
2015517040.tif 000026
【図２５】
2015517040.tif 000027
【図２６】
2015517040.tif 000028
【図２７】
2015517040.tif 000029
【図２８】
2015517040.tif 000030
【図２９】
2015517040.tif 000031
【図３０】
2015517040.tif 000032
【図３１】
2015517040.tif 000033
【図３２】
2015517040.tif 000034
【図３３】
2015517040.tif 000035
【図３４】
2015517040.tif 000036
【図３５】
2015517040.tif 000037
【図３６】
2015517040.tif 000038
【図３７】
2015517040.tif 000039
【図３８】
2015517040.tif 000040
【図３９】
2015517040.tif 000041
【図４０】
2015517040.tif 000042
【図４１】
2015517040.tif 000043
【手続補正書】
【提出日】平成26年10月1日(2014.10.1)
【手続補正１】
【補正対象書類名】明細書
【補正対象項目名】００４８
【補正方法】変更
【補正の内容】
【００４８】
ここで、上記移動窓３００の下部フレーム３００ｄの内部ポケット３００ｄ１に設置される上記移動窓横方向移動装置５００は、前述した図面と共に、図２２から図２６に示すように、上記移動窓３００に平面的なフレーム形状に固定設置され、フレーム表面からガイド突起（図示せず）が突出形成されるか、または上記レールガイド１００ｒの長手方向に対して設定角度に傾斜するように形成される傾斜ガイド溝５１１が形成される固定フレーム５１０と、上記固定フレーム５１０に平面的に隣接して摺動可能に備えられ、上記ガイド突起が嵌められてスライディングガイドできるように上記レールガイド１００ｒの長手方向に対して設定角度に傾斜するように形成される傾斜ガイド溝（図示せず）が形成されるか、またはフレーム表面からガイド突起５２１が突出形成され、上記移動窓３００の下部フレーム３００ｄの内部ポケット３００ｄ１でレール進行方向に平行な方向に摺動可能に提供される移動フレーム５２０と、上記移動窓３００の側面に固定設置され、上記移動フレーム５２０に連結されてレール進行方向に平行な方向の移動力を加える開閉作動駆動部５３０と、上記窓枠１００に備えられ、上記レールガイド１００ｒの前面及び背面に各々設定間隔離隔して備えられる前面支持レール５４０及び背面支持レール５５０と、そして、上記移動フレーム５２０に備えられ、上記開閉作動駆動部５３０により上記移動フレーム５２０が移動される場合、上記ガイド突起５２１と上記傾斜ガイド溝５１１の傾斜方向の移動力に対して、上記移動窓３００と上記前面支持レール５４０または上記背面支持レール５５０との間でレール進行方向に対して垂直方向に上記移動窓３００を押しながら上記レール進行方向に対して垂直方向である横方向に移動させる反力を提供する押圧部５６０を含んでなることがより好ましい。
【手続補正２】
【補正対象書類名】特許請求の範囲
【補正対象項目名】全文
【補正方法】変更
【補正の内容】
【特許請求の範囲】
【請求項１】
アルミサッシ構造のスライディング窓戸システムの移動窓設置構造は、
アルミニウム素材の内部フレーム１００ａと外部フレーム１００ｂ、及びこれを相互連結する合成樹脂素材の熱橋遮断材１００ｃ１を含んでなり、建物壁体に環状に設置され、底面の上部に横方向にレールガイドが設置される窓枠１００と、
前記窓枠１００の内部に設置される窓部材として、ガラス窓のような窓パネル２００ｇ、３００ｇを支持するアルミニウム素材の内部フレーム２００ａ、３００ａと外部フレーム２００ｂ、３００ｂ、及びこれを相互連結する合成樹脂素材の熱橋遮断材２００ｃ、３００ｃを含んでなる固定窓２００及び移動窓３００を備えるスライディング窓戸システムであって、
前面に第１熱橋遮断封止部材１００ｓを備えたアルミニウム素材で作られて、前記窓枠１００の外部フレーム１００ｂの内部に移動窓閉鎖領域に環状に提供され、前記内部フレーム１００ａと前記外部フレーム１００ｂとの間を連結するように提供される移動窓封止フレーム１００ｄと、
前記移動窓封止フレーム１００ｄに対する封止のために前記移動窓３００の前記窓枠１００のレールガイド１００ｒの長さに従う縦方向の摺動を提供するように前記移動窓３００の下部に前記移動窓３００から分離されて設置されるローラー装置４００と、
前記ローラー装置４００から前記移動窓３００を分離させて前記移動窓３００の背面に提供される第２熱橋遮断封止部材３１０ｓが前記移動窓封止フレーム１００ｄの前記第１熱橋遮断封止部材１００ｓと接するようにレールガイド１００ｒを横切る横方向のシーリング摺動を遂行するように前記移動窓３００の下部フレーム３００ｄの内部ポケット３００ｄ１に設置される移動窓横方向移動装置５００と、
前記移動窓横方向移動装置５００の作動により前記移動窓３００がレールガイド１００ｒを横切る横方向のシーリング摺動を遂行する間に、前記ローラー装置４００に垂直分力が届かないようにし、また前記移動窓３００がレールガイド１００ｒの長手方向に沿って移動される間には前記移動窓３００と前記ローラー装置４００とが一体に進行できるように、前記ローラー装置４００の上部面に対する前記移動窓３００の下部フレーム３００ｄのレールガイド１００ｒの進行方向に垂直になる移動変位のみを許容し、転がり移動ガイドするように前記ローラー装置４００の上部面と前記移動窓３００の下部フレーム３００ｄの下部面との間に提供される垂直方向スライディングユニット６００とを含んでなり、そして、
前記窓枠１００を構成する前記内部フレーム１００ａと前記外部フレーム１００ｂとを熱伝逹遮断方式により相互連結するように設置される合成樹脂素材の熱橋遮断材１００ｃ１と、前記外部フレーム１００ｂに連結された前記移動窓封止フレーム１００ｄと前記内部フレーム１００ａとを熱伝逹遮断方式により相互連結するように設置される合成樹脂素材の熱橋遮断材１００ｃ２の設置方向が相互直交するように配置して、前記内部フレーム１００ａ、前記外部フレーム１００ｂ、前記移動窓封止フレーム１００ｄ、及び前記内部フレーム１００ａが熱橋遮断材１００ｃ１、１００ｃ２、１００ｃを通じて環状に連結されて、その内部に熱遮断空気層３００ｉが形成されるようにしたことを特徴とする、アルミサッシ構造のスライディング窓戸システムの移動窓設置構造。
【請求項２】
前記移動窓３００の下部フレーム３００ｄの内部ポケット３００ｄ１に設置される前記移動窓横方向移動装置５００は、
前記移動窓３００に平面的なフレーム形状に固定設置され、フレームの表面からガイド突起が突出形成されるか、または前記レールガイド１００ｒの長手方向に対して設定角度に傾斜するように形成される傾斜ガイド溝５１１が形成される固定フレーム５１０と、
前記固定フレーム５１０に平面的に隣接して摺動可能に備えられ、前記ガイド突起が嵌められてスライディングガイドできるように前記レールガイド１００ｒの長手方向に対して設定角度に傾斜するように形成される傾斜ガイド溝が形成されるか、またはフレームの表面からガイド突起５２１が突出形成され、前記移動窓３００の下部フレーム３００ｄの内部ポケット３００ｄ１でレール進行方向に平行な方向に摺動可能に提供される移動フレーム５２０と、
前記移動窓３００の側面に固定設置され、前記移動フレーム５２０に連結されてレール進行方向に平行な方向の移動力を加える開閉作動駆動部５３０と、
前記窓枠１００に備えられ、前記レールガイド１００ｒの前面及び背面に各々設定間隔離隔して備えられる前面支持レール５４０及び背面支持レール５５０と、
前記移動フレーム５２０に備えられ、前記開閉作動駆動部５３０により前記移動フレーム５２０が移動される場合、前記ガイド突起５２１と前記傾斜ガイド溝５１１の傾斜方向の移動力に対して、前記移動窓３００と前記前面支持レール５４０または前記背面支持レール５５０との間でレール進行方向に対して垂直方向に前記移動窓３００を押しながら前記レール進行方向に対して垂直方向である横方向に移動させる反力を提供する押圧部５６０と、
を含んでなることを特徴とする、請求項１に記載のアルミサッシ構造のスライディング窓戸システムの移動窓設置構造。
【請求項３】
前記移動窓横方向移動装置５００を構成する前記移動フレーム５２０が前記移動窓３００の下部フレーム３００ｄの内部ポケット３００ｄ１から移動窓の側面の前記開閉作動駆動部５３０に延びるように提供される側面ポケット３００ｄ２に隣接して追加的に形成される補強材ポケット３００ｄ３に、前記移動窓３００の上下長手方向の曲げ剛性を補強するように側面曲げ剛性補強材３２０が挿入設置されることを特徴とする、請求項２に記載のアルミサッシ構造のスライディング窓戸システムの移動窓設置構造。
【請求項４】
前記垂直方向スライディングユニット６００は、移動窓横方向移動装置５００により移動窓３００が垂直方向にスライディングシーリング移動する間に前記ローラー装置４００に垂直分力が届かないように前記ローラー装置４００と前記移動窓横方向移動装置５００との間に提供されるものであって、
前記移動窓横方向移動装置５００を構成する前記固定フレーム５１０の底面に備えられる平らな板部材６１０と、
前記板部材６１０に接するようにローラー装置４００の平面に備えられ、かつレールガイド１００ｒの長手方向に対して垂直な方向のみに滑る構造を有するベアリング部６２０と、
を含んでなることを特徴とする、請求項３に記載のアルミサッシ構造のスライディング窓戸システムの移動窓設置構造。
【請求項５】
前記ベアリング部６２０は、
前記戸車部の平面に備えられるベアリング取付部と、
前記ベアリング取付部に配列され、かつ前記レールガイドの長手方向と同一な長手方向を有するように配列されるフィンタイプローラーベアリングと、
を含んでなることを特徴とする、請求項４に記載のアルミサッシ構造のスライディング窓戸システムの移動窓設置構造。
【請求項６】
前記レールガイド１００ｒの長手方向に対して垂直な方向のみに滑る構造を提供するために、前記垂直方向スライディングユニット６００は、
前記固定フレームの底面に備えられる係止段と、そして、前記係止段にかかるように前記ローラー装置の平面に形成される係止段を含んでなることを特徴とする、請求項５に記載のアルミサッシ構造のスライディング窓戸システムの移動窓設置構造。
【請求項７】
前記押圧部は、
前記移動フレームの前記ガイド突起の端部に固定され、前記固定フレームの底面にスライディング可能に備えられる支持部材と、
前記前面支持レールまたは前記背面支持レールを直接押しながら前記移動窓を移動させるだけでなく、前記移動フレーム及び前記支持部材が設定距離移動する間、前記前面支持レールまたは前記背面支持レールとの接触摩擦を最小化させるために、前記支持部材に回転可能に備えられる押圧用円形ローラーと、
を含んでなることを特徴とする、請求項４に記載のアルミサッシ構造のスライディング窓戸システムの移動窓設置構造。
【請求項８】
前記押圧用円形ローラーは前記支持部材の底面中心に回転可能に備えられ、
前記押圧用円形ローラーの直径は前記左側レール及び前記右側レールの間の間隔より小さく、前記運動方向転換ユニットにより前記移動窓が垂直方向に移動できる程度に設定されることを特徴とする、請求項７に記載のアルミサッシ構造のスライディング窓戸システムの移動窓設置構造。
【請求項９】
前記移動窓横方向移動装置５００は、
前記移動フレーム及び前記支持部材が前記固定フレームで円滑に移動されるように前記支持部材と前記固定フレームとの間に備えられる潤滑シートをさらに含むことを特徴とする、請求項４に記載のアルミサッシ構造のスライディング窓戸システムの移動窓設置構造。
【請求項１０】
前記ローラー装置４００は、
下部が開放されたハウジングと、
前記ハウジングの内部に取り付けられ、前記移動窓の荷重を支持する平板形状の荷重支持板と、
前記移動窓が前記窓枠の前記レールガイドに沿って移動される場合、前記荷重支持板を軸にして回転されるように前記荷重支持板に巻かれる輪型ローリングユニットと、を含み、
前記輪型ローリングユニットは、
複数個のローリング部材と、
前記複数個のローリング部材が互いに設定間隔を置いて前記荷重支持板の表面に均等に配置されるように前記複数個のローリング部材を互いに連結させるリンクユニットと、を含んでなることを特徴とする、請求項４に記載のアルミサッシ構造のスライディング窓戸システムの移動窓設置構造。
【請求項１１】
前記ローラー装置４００は、前記輪型ローリングユニットを前記荷重支持板の左／右に滑り無しで案内する案内ユニットをさらに含み、
前記案内ユニットは、
前記荷重支持板に形成され、かつその周りに沿って形成される案内レールと、
前記案内レールに相応するように前記複数個のローリング部材の各々に形成される案内溝と、を含んでなることを特徴とする、請求項１０に記載のアルミサッシ構造のスライディング窓戸システムの移動窓設置構造。
【請求項１２】
前記レールガイドは、前記前面支持レールと前記背面支持レールとの間に備えられて、前記複数個のローリング部材を案内する中央レールと、
前記中央レールの長手方向と同一な長手方向を有し、前記中央レールの平面に突出形成される補助案内レールとをさらに含み、
前記戸車部の左／右揺れを防ぐために、前記補助案内レールは前記案内溝に挿入されることを特徴とする、請求項１１に記載のアルミサッシ構造のスライディング窓戸システムの移動窓設置構造。
【請求項１３】
前記ロール私装置は、
前記中央レール及び前記補助案内レール上にある異質物が前記ハウジングの内部に流入しないようにすると共に、異質物が前記ハウジング外部に掃かれるように前記ハウジングの移動方向を基準に前記ハウジングの前部及び後部に各々備えられる異質物カーテンをさらに含んでなることを特徴とする、請求項１２に記載のアルミサッシ構造のスライディング窓戸システムの移動窓設置構造。
【請求項１４】
前記垂直方向スライディングユニット６００は、前記ローラー装置４００の前記ハウジングと前記移動窓横方向移動装置５００の前記固定フレームとの間に備えられることを特徴とする、請求項１０に記載のアルミサッシ構造のスライディング窓戸システムの移動窓設置構造。
【請求項１５】
前記ローラー装置４００は、
前記ハウジングが前記前面支持レール及び前記背面支持レールに接触時、接触抵抗を減らすために、前記ハウジングの両側面に各々回転可能に備えられる側部ローラーをさらに含んでなることを特徴とする、請求項１０から１４のうちのいずれか一項に記載のアルミサッシ構造のスライディング窓戸システムの移動窓設置構造。
【手続補正３】
【補正対象書類名】図面
【補正対象項目名】図３
【補正方法】変更
【補正の内容】
【図３】
2015517040.tif 000044
【手続補正４】
【補正対象書類名】図面
【補正対象項目名】図２７
【補正方法】変更
【補正の内容】
【図２７】
2015517040.tif 000045
【国際調査報告】
2015517040.tif 000046
2015517040.tif 000047
2015517040.tif 000048
2015517040.tif 000049